【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
アプリ・ストアを介してアプリを提供するために計算デバイスにおいて実行される方法であって、
前記アプリ・ストアにおけるアプリに対するユーザーからのクエリーを、コンピューター・ネットワークを介して受けるステップであって、前記アプリ・ストアが複数のアプリを含み、該アプリが個々に、対応する該アプリに関連した１つ以上の特徴、モード、コンテンツ・アイテムを識別するアプリ−アイテム・マップを有する、ステップと、
受けた前記クエリーに応答して、１つ以上のアプリを決定するステップであって、該１つ以上のアプリの各々が、受けた前記クエリーに関連しかつ該クエリーに基づく前記特徴、モードまたはコンテンツ・アイテムの１つ以上を有する、ステップと、
前記ユーザーによる選択のために、決定した前記１つ以上のアプリおよび対応する前記１つ以上の特徴、モードまたはコンテンツ・アイテムを提示するステップと、
提示した前記特徴、モードまたはコンテンツ・アイテムのうちの１つのユーザー選択を受けるステップと、
提示した前記特徴、モードまたはコンテンツ・アイテムのうちの前記１つの受けた前記ユーザー選択に応答して、特定のユーザー体験のため、提示した前記特徴、モードまたはコンテンツ・アイテムのうちの選択された前記１つに関連する前記アプリの１つをカスタム化するステップであって、該カスタム化を、
前記アプリの選択されたモードを、前記アプリの実行中にデフォルト・モードとして可能にすること、
選択された特徴に対応するように前記アプリのユーザ・インターフェースを作ること、
選択されたコンテンツ・アイテムを、前記アプリに対するデフォルトのコンテンツ・アイテムとして実行中構成すること、
のうちの１つ以上を実行することによって行う、ステップと、
前記特定のユーザー体験に対するカスタム化した前記アプリを、前記ユーザーに対し前記コンピューター・ネットワークを介して提供するステップと、
を含む、方法。
【請求項２】
請求項１記載の方法であって、更に、
前記クエリーを提出した前記ユーザーが、前記アプリに関連する前記１つ以上の特徴、モードまたはコンテンツ・アイテムのうちの、前記個々の１つ以上の特徴、モードまたはコンテンツ・アイテムまたはその全てを取得することを可能にするステップ、
を含む、方法。
【請求項３】
請求項１記載の方法において、
前記アプリ−アイテム・マップが、構造化データー・ファイルの形態であり、
前記方法が、更に、
ウェブ・サービスへのリンクを受けるステップと、
前記ウェブ・サービスへの前記リンクをたどることによって前記アプリ−アイテム・マップを引き出すステップと、
を含む、方法。
【請求項４】
請求項３記載の方法において、前記アプリ−アイテム・マップを引き出すステップが、
アプリ内購入可能エンティティにおける記述から前記アプリ−アイテム・マップを引き出すこと、
前記アプリの単一の記述を複数の記述に変換すること、
のうちの１つ以上を含む、方法。
【請求項５】
請求項１記載の方法において、
前記アプリに関連する前記特徴、モードまたはコンテンツ・アイテムの各々がメタデーターを含み、該メタデーターが、アイテム識別子、タイトル、アイテム・アイコン、順位、アイテム価格、当該アイテムが適用されるもの、オーディエンス・ターゲティング情報、デバイス・ターゲティング情報、説明文、および１つ以上のキーワードを含む、方法。
【請求項６】
請求項５記載の方法であって、更に、
前記ユーザー選択を受けたときに、前記選択された特徴、モードまたはコンテンツ・アイテムに関連する前記メタデーターを前記ユーザーに提示するステップ、
を含む、方法。
【請求項７】
請求項１記載の方法において、前記決定された１つ以上のアプリを提示するステップが、
前記個々の提示された１つ以上のアプリに関連する入手可能な特徴、モードまたはコンテンツ・アイテムのリストを提示するステップ、
を含む、方法。
【請求項８】
アプリ・ストアを介してアプリを提供する計算デバイスであって、
プロセッサーと、
命令を含むメモリーと、
を含み、
前記命令が、前記プロセッサーに方法を実行させるために前記プロセッサーによって実行可能であり、前記方法が、
前記アプリ・ストアにおけるアプリに対するユーザーからのクエリーを、コンピューター・ネットワークを介して受けるステップであって、前記アプリ・ストアが複数のアプリを含み、該アプリが個々に、対応するアプリの１つ以上の特徴または動作モードのリストを含むアプリ−アイテム・マップを有するステップと、
受けた前記クエリーに応答して、受けた前記クエリーに関連しかつ該クエリーに基づく１つ以上の特徴または動作モードを決定するステップと、
前記ユーザーによる選択のために、決定した前記１つ以上の特徴または動作モードを提示するステップと、
提示した前記１つ以上の特徴または動作モードから、１つの特徴または動作モードを選択するユーザー入力を受けるステップであって、選択された前記１つの特徴または動作モードが、前記アプリ・ストアにおける前記アプリの１つに関連する、ステップと、
前記１つの特徴または動作モードを選択する受けた前記ユーザー入力に応答して、前記選択された１つの特徴または動作モードに基づいて、特定のユーザー体験のため、前記選択された１つの特徴または動作モードに関連する前記アプリ・ストアにおける前記アプリをカスタム化するステップであって、該カスタム化を、
前記選択された動作モードを、前記アプリの実行中に前記アプリのデフォルト・モードとして可能にすること、
前記アプリにおいて実行中に前記選択された特徴を提供するように前記アプリのユーザ・インターフェースを作ること、
を実行することによって行う、ステップと、
カスタム化した前記アプリを、前記ユーザーに対し前記コンピューター・ネットワークを介して提供するステップと、
を含む、計算デバイス。
【請求項９】
請求項８記載の計算デバイスにおいて、前記方法が、更に、
前記クエリーを提出した前記ユーザーが、前記アプリに関連する前記１つ以上の特徴または動作モードのうちの、前記個々の１つ以上の特徴または動作モードまたはその全てを取得することを可能にするステップ、
を含む、計算デバイス。
【請求項１０】
アプリ・ストアを介してアプリを提供するための計算デバイスで実行される方法であって、
前記アプリ・ストアにおけるアプリに対するユーザーからのクエリーを、コンピューター・ネットワークを介して受けるステップであって、前記アプリ・ストアが複数のアプリを含み、該アプリが個々に、対応するアプリの１つ以上の特徴または動作モードの関連するリストを有する、ステップと、
受けた前記クエリーに応答して、受けた該クエリーに基づいて前記アプリ・ストアを検索して、受けた前記クエリーに関連する特徴または動作モードのリストを決定するステップと、
前記ユーザーによる選択のために、決定した前記特徴または動作モードのリストを前記ユーザーに前記コンピューター・ネットワークを介して提示するステップと、
提示した前記リストにおける前記特徴または動作モードのうちの１つを選択するユーザー入力を、前記コンピューター・ネットワークを介して受けるステップであって、選択された前記１つの特徴または動作モードが、前記アプリ・ストアにおける前記アプリの１つに関連する、ステップと、
前記１つの特徴または動作モードを選択する受けた前記ユーザー入力に応答して、前記選択された１つの特徴または動作モードに基づいて、特定のユーザー体験のため、前記選択された１つの特徴または動作モードに関連する前記アプリ・ストアにおける前記アプリの前記１つを構成するステップであって、該構成を、
前記選択された動作モードを、前記アプリの実行中に前記アプリのデフォルト・モードとして可能にすること、
前記アプリにおいて実行中に前記選択された特徴を提供するように前記アプリのユーザ・インターフェースを作ること、
を実行することによって行う、ステップと、
構成した前記アプリを、前記ユーザーに対し前記コンピューター・ネットワークを介して提供するステップと、
を含む方法。